(57)【要約】【課題】Ｆ値が小さく、諸収差が良好に補正されて、高い光学性能を有する撮像レンズ、及びこの撮像レンズを備えた撮像装置を提供する。【解決手段】撮像レンズ１は、物体側から順に、負の第１レンズＬ１と、負の第２レンズＬ２と、像側に凸面を向けた正の第３レンズＬ３と、物体側に凸面を向けた正の第４レンズＬ４と、負の第５レンズＬ５と、像側に凸面を向けた正の第６レンズＬ６と、物体側に凸面を向けた正の第７レンズＬ７と、負の第８レンズＬ８とからなる８枚のレンズのみを屈折力を有するレンズとして備え、予め定められた条件式を満足する。【選択図】図１
2019211637.tif 000002
【特許請求の範囲】
【請求項１】
物体側から像側へ向かって順に、
負の屈折力を有する第１レンズと、
負の屈折力を有する第２レンズと、
正の屈折力を有し、像側の面が凸面である第３レンズと、
正の屈折力を有し、物体側の面が凸面である第４レンズと、
負の屈折力を有する第５レンズと、
正の屈折力を有し、像側の面が凸面である第６レンズと、
正の屈折力を有し、物体側の面が凸面である第７レンズと、
負の屈折力を有する第８レンズと、
からなる８枚のレンズのみを屈折力を有するレンズとして備え、
前記第５レンズのｄ線基準のアッベ数をνｄ５とした場合、
νｄ５＜２３    （１）
で表される条件式（１）を満足する撮像レンズ。
【請求項２】
物体側から像側へ向かって順に、
負の屈折力を有する第１レンズと、
負の屈折力を有する第２レンズと、
正の屈折力を有し、像側の面が凸面である第３レンズと、
正の屈折力を有し、物体側の面が凸面である第４レンズと、
負の屈折力を有する第５レンズと、
正の屈折力を有し、像側の面が凸面である第６レンズと、
正の屈折力を有し、物体側の面が凸面である第７レンズと、
負の屈折力を有する第８レンズと、
からなる８枚のレンズのみを屈折力を有するレンズとして備え、
前記第２レンズと前記第３レンズとの光軸上の間隔をＤｂ２３とし、全系の焦点距離をｆとした場合、
０．８＜Ｄｂ２３／ｆ＜７    （２）
で表される条件式（２）を満足する撮像レンズ。
【請求項３】
物体側から像側へ向かって順に、
負の屈折力を有する第１レンズと、
負の屈折力を有する第２レンズと、
正の屈折力を有し、像側の面が凸面である第３レンズと、
正の屈折力を有し、物体側の面が凸面である第４レンズと、
負の屈折力を有する第５レンズと、
正の屈折力を有し、像側の面が凸面である第６レンズと、
正の屈折力を有し、物体側の面が凸面である第７レンズと、
負の屈折力を有する第８レンズと、
からなる８枚のレンズのみを屈折力を有するレンズとして備え、
前記第４レンズと前記第５レンズと前記第６レンズとの合成焦点距離をｆ４５６とし、全系の焦点距離をｆとした場合、
３＜ｆ４５６／ｆ＜２８    （３）
で表される条件式（３）を満足する撮像レンズ。
【請求項４】
前記第３レンズは、物体側の面の曲率半径の絶対値より像側の面の曲率半径の絶対値が小さい請求項１から３のいずれか１項に記載の撮像レンズ。
【請求項５】
前記第４レンズは、物体側の面の曲率半径の絶対値より像側の面の曲率半径の絶対値が大きい請求項１から４のいずれか１項に記載の撮像レンズ。
【請求項６】
前記第６レンズは、物体側の面の曲率半径の絶対値より像側の面の曲率半径の絶対値が小さい請求項１から５のいずれか１項に記載の撮像レンズ。
【請求項７】
前記第７レンズは、物体側の面の曲率半径の絶対値より像側の面の曲率半径の絶対値が大きい請求項１から６のいずれか１項に記載の撮像レンズ。
【請求項８】
前記第１レンズの焦点距離をｆ１とし、全系の焦点距離をｆとした場合、
−８＜ｆ１／ｆ＜−０．５    （４）
で表される条件式（４）を満足する請求項１から７のいずれか１項に記載の撮像レンズ。
【請求項９】
前記第１レンズと前記第２レンズとの合成焦点距離をｆ１２とし、全系の焦点距離をｆとした場合、
−８＜ｆ１２／ｆ＜−０．５    （５）
で表される条件式（５）を満足する請求項１から８のいずれか１項に記載の撮像レンズ。
【請求項１０】
前記第４レンズと前記第５レンズとの合成焦点距離をｆ４５とし、全系の焦点距離をｆとした場合、
ｆ４５／ｆ＜−０．５    （６）
で表される条件式（６）を満足する請求項１から９のいずれか１項に記載の撮像レンズ。
【請求項１１】
前記第２レンズと前記第３レンズとの合成焦点距離をｆ２３とし、全系の焦点距離をｆとした場合、
２＜ｆ２３／ｆ＜３０    （７）
で表される条件式（７）を満足する請求項１から１０のいずれか１項に記載の撮像レンズ。
【請求項１２】
前記第６レンズの焦点距離をｆ６とし、全系の焦点距離をｆとした場合、
０．５＜ｆ６／ｆ    （８）
で表される条件式（８）を満足する請求項１から１１のいずれか１項に記載の撮像レンズ。
【請求項１３】
前記第７レンズの焦点距離をｆ７とし、全系の焦点距離をｆとした場合、
０．５＜ｆ７／ｆ    （９）
で表される条件式（９）を満足する請求項１から１２のいずれか１項に記載の撮像レンズ。
【請求項１４】
前記第１レンズの物体側の面から前記第８レンズの像側の面までの光軸上の距離と空気換算距離でのバックフォーカスとの和をＴＬとし、全系の焦点距離をｆとした場合、
３＜ＴＬ／ｆ＜２０    （１０）
で表される条件式（１０）を満足する請求項１から１３のいずれか１項に記載の撮像レンズ。
【請求項１５】
空気換算距離でのバックフォーカスをＢｆとし、全系の焦点距離をｆとした場合、
０．５＜Ｂｆ／ｆ＜５    （１１）
で表される条件式（１１）を満足する請求項１から１４のいずれか１項に記載の撮像レンズ。
【請求項１６】
前記第８レンズの像側の面の有効直径をＥＤ８ｒとし、空気換算距離でのバックフォーカスをＢｆとした場合、
０．６＜ＥＤ８ｒ／Ｂｆ＜２．２    （１２）
で表される条件式（１２）を満足する請求項１から１５のいずれか１項に記載の撮像レンズ。
【請求項１７】
請求項１から１６のいずれか１項に記載の撮像レンズを備えた撮像装置。
【発明の詳細な説明】
【技術分野】
【０００１】
本開示は、撮像レンズ、及び撮像装置に関する。
【背景技術】
【０００２】
撮像レンズと組み合わせて使用されるＣＣＤ（Ｃｈａｒｇｅ  Ｃｏｕｐｌｅｄ  Ｄｅｖｉｃｅ）又はＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の撮像素子は近年非常に小型化及び高画素化が進んでいる。それに伴い、撮像素子を備えた撮像装置も小型化が進み、その撮像装置に搭載される撮像レンズは、良好な光学性能を確保しながら、レンズ枚数を極力抑えて小型に構成されていることが求められている。
【０００３】
小型化を意識した撮像レンズとしては、例えば下記特許文献１に記載されたレンズ系が知られている。特許文献１には、レンズ枚数を６枚〜８枚とした単焦点レンズ系が記載されている。
【先行技術文献】
【特許文献】
【０００４】
【特許文献１】特許第５８３０６３８号明細書
【発明の概要】
【発明が解決しようとする課題】
【０００５】
ところで、撮像レンズに対する要求は年々厳しくなっており、より高性能化が求められるようになっている。また、撮影環境及び／又は撮影対象によっては、小さなＦ値を有する撮像レンズが要望されることがある。しかしながら、特許文献１に記載されたレンズ系は、この要望に十分応えられるほど小さなＦ値を有するものではない。
【０００６】
本開示は、上記事情に鑑みなされたものである。本発明の一実施形態が解決しようとする課題は、Ｆ値が小さく、諸収差が良好に補正されて、高い光学性能を有する撮像レンズ、及びこの撮像レンズを備えた撮像装置を提供することにある。
【課題を解決するための手段】
【０００７】
上記の課題を解決するための具体的手段には、以下の態様が含まれる。
第１の態様に係る撮像レンズは、物体側から像側へ向かって順に、負の屈折力を有する第１レンズと、負の屈折力を有する第２レンズと、正の屈折力を有し、像側の面が凸面である第３レンズと、正の屈折力を有し、物体側の面が凸面である第４レンズと、負の屈折力を有する第５レンズと、正の屈折力を有し、像側の面が凸面である第６レンズと、正の屈折力を有し、物体側の面が凸面である第７レンズと、負の屈折力を有する第８レンズと、からなる８枚のレンズのみを屈折力を有するレンズとして備え、第５レンズのｄ線基準のアッベ数をνｄ５とした場合、
νｄ５＜２３    （１）
で表される条件式（１）を満足する。
【０００８】
第２の態様に係る撮像レンズは、物体側から像側へ向かって順に、負の屈折力を有する第１レンズと、負の屈折力を有する第２レンズと、正の屈折力を有し、像側の面が凸面である第３レンズと、正の屈折力を有し、物体側の面が凸面である第４レンズと、負の屈折力を有する第５レンズと、正の屈折力を有し、像側の面が凸面である第６レンズと、正の屈折力を有し、物体側の面が凸面である第７レンズと、負の屈折力を有する第８レンズと、からなる８枚のレンズのみを屈折力を有するレンズとして備え、第２レンズと第３レンズとの光軸上の間隔をＤｂ２３とし、全系の焦点距離をｆとした場合、
０．８＜Ｄｂ２３／ｆ＜７    （２）
で表される条件式（２）を満足する。
【０００９】
第３の態様に係る撮像レンズは、物体側から像側へ向かって順に、負の屈折力を有する第１レンズと、負の屈折力を有する第２レンズと、正の屈折力を有し、像側の面が凸面である第３レンズと、正の屈折力を有し、物体側の面が凸面である第４レンズと、負の屈折力を有する第５レンズと、正の屈折力を有し、像側の面が凸面である第６レンズと、正の屈折力を有し、物体側の面が凸面である第７レンズと、負の屈折力を有する第８レンズと、からなる８枚のレンズのみを屈折力を有するレンズとして備え、第４レンズと第５レンズと第６レンズとの合成焦点距離をｆ４５６とし、全系の焦点距離をｆとした場合、
３＜ｆ４５６／ｆ＜２８    （３）
で表される条件式（３）を満足する。
【００１０】
第１、第２、及び第３の態様に係る撮像レンズの少なくとも１つにおいて、第３レンズは、物体側の面の曲率半径の絶対値より像側の面の曲率半径の絶対値が小さいことが好ましい。
【００１１】
第１、第２、及び第３の態様に係る撮像レンズの少なくとも１つにおいて、第４レンズは、物体側の面の曲率半径の絶対値より像側の面の曲率半径の絶対値が大きいことが好ましい。
【００１２】
第１、第２、及び第３の態様に係る撮像レンズの少なくとも１つにおいて、第６レンズは、物体側の面の曲率半径の絶対値より像側の面の曲率半径の絶対値が小さいことが好ましい。
【００１３】
第１、第２、及び第３の態様に係る撮像レンズの少なくとも１つにおいて、第７レンズは、物体側の面の曲率半径の絶対値より像側の面の曲率半径の絶対値が大きいことが好ましい。
【００１４】
第１、第２、及び第３の態様に係る撮像レンズの少なくとも１つにおいて、以下の条件式のいずれか１つ、あるいは任意の２つ以上の組合せを満足することが好ましい。
−８＜ｆ１／ｆ＜−０．５    （４）
−８＜ｆ１２／ｆ＜−０．５    （５）
ｆ４５／ｆ＜−０．５    （６）
２＜ｆ２３／ｆ＜３０    （７）
０．５＜ｆ６／ｆ    （８）
０．５＜ｆ７／ｆ    （９）
３＜ＴＬ／ｆ＜２０    （１０）
０．５＜Ｂｆ／ｆ＜５    （１１）
０．６＜ＥＤ８ｒ／Ｂｆ＜２．２    （１２）
ただし、
ｆ１：第１レンズの焦点距離
ｆ：全系の焦点距離
ｆ１２：第１レンズと第２レンズとの合成焦点距離
ｆ４５：第４レンズと第５レンズとの合成焦点距離
ｆ２３：第２レンズと第３レンズとの合成焦点距離
ｆ６：第６レンズの焦点距離
ｆ７：第７レンズの焦点距離
ＴＬ：第１レンズの物体側の面から第８レンズの像側の面までの光軸上の距離と空気換算距離でのバックフォーカスとの和
Ｂｆ：空気換算距離でのバックフォーカス
ＥＤ８ｒ：第８レンズの像側の面の有効直径
【００１５】
第４の態様に係る撮像装置は、第１、第２、及び第３の態様に係る撮像レンズの少なくとも１つを備える。
【００１６】
なお、本明細書の「〜からなり」、「〜からなる」は、挙げられた構成要素以外に、実質的に屈折力を有さないレンズ、並びに、絞り、フィルタ、及びカバーガラス等のレンズ以外の光学要素、並びに、レンズフランジ、レンズバレル、撮像素子、及び手振れ補正機構等の機構部分、等が含まれていてもよいことを意図する。
【００１７】
非球面を含むレンズについて、屈折力の符号、レンズ面の面形状、及び曲率半径は、特に断りが無い限り近軸領域で考えることにする。曲率半径の符号は、面形状が物体側に凸面を向けた場合を正、像側に凸面を向けた場合を負とする。「正の屈折力を有するレンズ」、「正のレンズ」、及び「正レンズ」は同義である。「負の屈折力を有するレンズ」、「負のレンズ」、及び「負レンズ」は同義である。「バックフォーカス」は最も像側のレンズ面から像側の焦点位置までの光軸上の距離である。
【００１８】
条件式で用いている「焦点距離」は、近軸焦点距離である。条件式の値は、ｄ線を基準とした場合の値である。本明細書に記載の「ｄ線」、「Ｃ線」、及び「Ｆ線」は輝線であり、ｄ線の波長は５８７．５６ｎｍ（ナノメートル）、Ｃ線の波長は６５６．２７ｎｍ（ナノメートル）、Ｆ線の波長は４８６．１３ｎｍ（ナノメートル）である。
【発明の効果】
【００１９】
本発明の一実施形態によれば、Ｆ値が小さく、諸収差が良好に補正されて、高い光学性能を有する撮像レンズ、及びこの撮像レンズを備えた撮像装置を提供することができる。
【図面の簡単な説明】
【００２０】
【図１】本発明の一実施形態に係る撮像レンズ（本発明の実施例１の撮像レンズ）の構成を示す断面図である。
【図２】本発明の実施例２の撮像レンズの構成を示す断面図である。
【図３】本発明の実施例３の撮像レンズの構成を示す断面図である。
【図４】本発明の実施例４の撮像レンズの構成を示す断面図である。
【図５】本発明の実施例５の撮像レンズの構成を示す断面図である。
【図６】本発明の実施例６の撮像レンズの構成を示す断面図である。
【図７】本発明の実施例７の撮像レンズの構成を示す断面図である。
【図８】本発明の実施例８の撮像レンズの構成を示す断面図である。
【図９】本発明の実施例９の撮像レンズの構成を示す断面図である。
【図１０】本発明の実施例１の撮像レンズの各収差図である。
【図１１】本発明の実施例２の撮像レンズの各収差図である。
【図１２】本発明の実施例３の撮像レンズの各収差図である。
【図１３】本発明の実施例４の撮像レンズの各収差図である。
【図１４】本発明の実施例５の撮像レンズの各収差図である。
【図１５】本発明の実施例６の撮像レンズの各収差図である。
【図１６】本発明の実施例７の撮像レンズの各収差図である。
【図１７】本発明の実施例８の撮像レンズの各収差図である。
【図１８】本発明の実施例９の撮像レンズの各収差図である。
【図１９】本発明の一実施形態に係る撮像装置の概略構成図である。
【発明を実施するための形態】
【００２１】
以下、本開示の撮像レンズの実施形態について図面を参照して詳細に説明する。図１に、本発明の一実施形態に係る撮像レンズ１の光軸Ｚを含む断面における構成を示す。図１に示す例は、後述の実施例１に対応している。図１では左側が物体側、右側が像側として図示している。また、図１では、無限遠の距離にある物点からの軸上光束２、最大画角の光束３、４も併せて示している。
【００２２】
なお、図１では、撮像レンズ１が撮像装置に適用されることを想定して、撮像レンズ１と像面Ｓｉｍとの間に平行平板状の光学部材ＰＰが配置された例を示している。光学部材ＰＰは、各種フィルタ、及び／又はカバーガラス等を想定した部材である。各種フィルタとは例えばローパスフィルタ、赤外線カットフィルタ、及び特定の波長域をカットするフィルタ等である。光学部材ＰＰは屈折力を有しない部材であり、光学部材ＰＰを省略した構成も可能である。
【００２３】
撮像レンズ１は、物体側から像側へ向かって順に、負の屈折力を有する第１レンズＬ１と、負の屈折力を有する第２レンズＬ２と、正の屈折力を有する第３レンズＬ３と、正の屈折力を有する第４レンズＬ４と、負の屈折力を有する第５レンズＬ５と、正の屈折力を有する第６レンズＬ６と、正の屈折力を有する第７レンズＬ７と、負の屈折力を有する第８レンズＬ８と、からなる８枚のレンズのみを屈折力を有するレンズとして備える。第３レンズＬ３は、像側の面が凸面である。第４レンズＬ４は、物体側の面が凸面である。第６レンズＬ６は、像側の面が凸面である。第７レンズＬ７は、物体側の面が凸面である。撮像レンズ１に関する以上の構成を基本構成と称することにする。
【００２４】
物体側から１番目及び２番目のレンズである第１レンズＬ１及び第２レンズＬ２が負レンズであるように構成して、物体側に負の屈折力を配置し、これら２枚のレンズに負の屈折力を分担させることによって、歪曲収差を抑えることが容易となる。第１レンズＬ１は、例えば、物体側に凸面を向けた負メニスカスレンズとしてもよく、このようにした場合は、歪曲収差を抑えることがより容易となる。第２レンズＬ２は、例えば、物体側に凸面を向けた負メニスカスレンズとしてもよく、このようにした場合は、歪曲収差を抑えることがより容易となる。
【００２５】
第３レンズＬ３及び第４レンズＬ４が正レンズであるように構成することによって、球面収差の補正が容易となる。第３レンズＬ３及び第４レンズＬ４は互いの凸面が対向するように構成されており、この構成によって球面収差の補正がより容易となる。第３レンズＬ３は、物体側の面の曲率半径の絶対値より像側の面の曲率半径の絶対値が小さいことが好ましい。このようにした場合は、球面収差及び非点収差の補正が容易となる。第４レンズＬ４は、物体側の面の曲率半径の絶対値より像側の面の曲率半径の絶対値が大きいことが好ましい。このようにした場合は、球面収差及び非点収差の補正が容易となる。
【００２６】
第５レンズＬ５が負レンズであるように構成することによって、色収差を良好に補正することが容易となる。第５レンズＬ５は、例えば、両凹レンズとしてもよく、このようにした場合は、第５レンズＬ５に強い負の屈折力を持たせることが容易となり、色収差を良好に補正することがより容易となる。
【００２７】
第６レンズＬ６及び第７レンズＬ７が正レンズであるように構成することによって、球面収差の補正が容易となる。第６レンズＬ６及び第７レンズＬ７は互いの凸面が対向するように構成されており、この構成によって球面収差の補正がより容易となる。第６レンズＬ６は、物体側の面の曲率半径の絶対値より像側の面の曲率半径の絶対値が小さいことが好ましい。このようにした場合は、球面収差及び非点収差の補正が容易となる。第７レンズ７は、物体側の面の曲率半径の絶対値より像側の面の曲率半径の絶対値が大きいことが好ましい。このようにした場合は、球面収差及び非点収差の補正が容易となる。第６レンズＬ６は、例えば、両凸レンズとしてもよい。第７レンズＬ７は、例えば、両凸レンズとしてもよい。
【００２８】
第８レンズＬ８が負レンズであるように構成することによって、色収差を良好に補正することが容易となる。第８レンズＬ８は、例えば、物体側の面を凹面にしてもよい。第８レンズＬ８は、物体側に凹面を向けた負メニスカスレンズとしてもよく、あるいは、両凹レンズとしてもよい。第８レンズＬ８を物体側に凹面を向けた負メニスカスレンズとした場合は、テレセントリック性を向上させることに有利となる。第８レンズＬ８を両凹レンズとした場合は、色収差の補正がさらに容易となる。
【００２９】
図１の例では、一例として、第４レンズＬ４の物体側の面と第５レンズＬ５の像側の面との間に開口絞りＳｔが配置されている。このようにレンズ系の中間に開口絞りＳｔを配置することによって、最も物体側のレンズ及び最も像側のレンズの両方についてレンズ径の小径化が容易となる。なお、図１で図示されている開口絞りＳｔは、形状又は大きさを表すものではなく、光軸Ｚ上の位置を示すものである。
【００３０】
また、図１の例では、第１レンズＬ１〜第８レンズＬ８の全てが単レンズである。全レンズを単レンズとすることによって、耐熱性及び耐環境性において有利となる。なお、ここでいう「単レンズ」は、接合されていない１枚のレンズを意味する。ただし、複合非球面レンズ（球面レンズと、その球面レンズ上に形成された非球面形状の膜とが一体的に構成されて、全体として１つの非球面レンズとして機能するレンズ）は、接合レンズとは見なさず、１枚のレンズとして扱う。
【００３１】
撮像レンズ１は、非球面形状を有する非球面レンズを含むように構成してもよい。図１の例では、第７レンズＬ７が非球面レンズであり、その他のレンズは球面レンズである。像面Ｓｉｍに最も近い正レンズを非球面レンズとすることによって、諸収差を抑えながらテレセントリック性を向上させることに有利となる。
【００３２】
次に、条件式に関する好ましい構成について述べる。撮像レンズ１は、以下の条件式のいずれか１つ、あるいは任意の２つ以上の組合せを満足することが好ましい。
νｄ５＜２３    （１）
０．８＜Ｄｂ２３／ｆ＜７    （２）
３＜ｆ４５６／ｆ＜２８    （３）
−８＜ｆ１／ｆ＜−０．５    （４）
−８＜ｆ１２／ｆ＜−０．５    （５）
ｆ４５／ｆ＜−０．５    （６）
２＜ｆ２３／ｆ＜３０    （７）
０．５＜ｆ６／ｆ    （８）
０．５＜ｆ７／ｆ    （９）
３＜ＴＬ／ｆ＜２０    （１０）
０．５＜Ｂｆ／ｆ＜５    （１１）
０．６＜ＥＤ８ｒ／Ｂｆ＜２．２    （１２）
０≦（Ｒ１ｆ＋Ｒ１ｒ）／（Ｒ１ｆ−Ｒ１ｒ）＜８    （１３）
０≦（Ｒ２ｆ＋Ｒ２ｒ）／（Ｒ２ｆ−Ｒ２ｒ）＜５    （１４）
０≦（Ｒ３ｆ＋Ｒ３ｒ）／（Ｒ３ｆ−Ｒ３ｒ）＜５    （１５）
（Ｒ５ｆ＋Ｒ５ｒ）／（Ｒ５ｆ−Ｒ５ｒ）≦０    （１６）
３０＜νｄ１    （１７）
３０＜νｄ２    （１８）
３０＜νｄ３    （１９）
３０＜νｄ４    （２０）
２０＜νｄ６    （２１）
３０＜νｄ７    （２２）
νｄ８＜３０    （２３）
ただし、
νｄ５：第５レンズのｄ線基準のアッベ数
Ｄｂ２３：第２レンズと第３レンズとの光軸上の間隔
ｆ：全系の焦点距離
ｆ４５６：第４レンズと第５レンズと第６レンズとの合成焦点距離
ｆ１：第１レンズの焦点距離
ｆ１２：第１レンズと第２レンズとの合成焦点距離
ｆ４５：第４レンズと第５レンズとの合成焦点距離
ｆ２３：第２レンズと第３レンズとの合成焦点距離
ｆ６：第６レンズの焦点距離
ｆ７：第７レンズの焦点距離
ＴＬ：第１レンズの物体側の面から第８レンズの像側の面までの光軸上の距離と空気換算距離でのバックフォーカスとの和
Ｂｆ：空気換算距離でのバックフォーカス
ＥＤ８ｒ：第８レンズの像側の面の有効直径
Ｒ１ｆ：第１レンズの物体側の面の曲率半径
Ｒ１ｒ：第１レンズの像側の面の曲率半径
Ｒ２ｆ：第２レンズの物体側の面の曲率半径
Ｒ２ｒ：第２レンズの像側の面の曲率半径
Ｒ３ｆ：第３レンズの物体側の面の曲率半径
Ｒ３ｒ：第３レンズの像側の面の曲率半径
Ｒ５ｆ：第５レンズの物体側の面の曲率半径
Ｒ５ｒ：第５レンズの像側の面の曲率半径
νｄ１：第１レンズのｄ線基準のアッベ数
νｄ２：第２レンズのｄ線基準のアッベ数
νｄ３：第３レンズのｄ線基準のアッベ数
νｄ４：第４レンズのｄ線基準のアッベ数
νｄ６：第６レンズのｄ線基準のアッベ数
νｄ７：第７レンズのｄ線基準のアッベ数
νｄ８：第８レンズのｄ線基準のアッベ数
【００３３】
条件式（１）の上限以上とならないようにすることによって、軸上色収差の補正が容易となる。Ｆ値を小さくしながら良好な解像性能を確保するためには、軸上色収差を良好に抑えることが必要である。したがって、条件式（１）を満足することによって、Ｆ値が小さく良好な性能を有するレンズ系の実現が容易になる。
【００３４】
なお、条件式（１）のνｄ５は、２１より小さいことがより好ましく、２０より小さいことがさらに好ましく、１９より小さいことがさらにより好ましく、１８より小さいことが一層好ましい。また、νｄ５は、１６より大きいことが好ましく、このようにした場合は、材料のコストを抑えることが容易となる。νｄ５は、１７より大きいことがより好ましく、１７．２より大きいことがさらに好ましい。上記より、例えば下記条件式（１−１）〜（１−３）の少なくとも１つを満足することがより好ましい。
１６＜νｄ５＜２３    （１−１）
１６＜νｄ５＜２１    （１−２）
１７．２＜νｄ５＜１９    （１−３）
【００３５】
条件式（２）の下限以下とならないようにすることによって、第２レンズＬ２と第３レンズＬ３との空気間隔を大きくとることができ、歪曲収差及び球面収差の補正が容易となる。条件式（２）の上限以上とならないようにすることによって、レンズ系を小型化することが容易となる。
【００３６】
条件式（２）のＤｂ２３／ｆは、１より大きいことがより好ましく、１．２より大きいことがさらに好ましく、１．５より大きいことがさらにより好ましい。また、Ｄｂ２３／ｆは、５より小さいことがより好ましく、４より小さいことがさらに好ましく、３より小さいことがさらにより好ましく、２．５より小さいことが一層好ましい。上記より、例えば下記条件式（２−１）〜（２−３）の少なくとも１つを満足することがより好ましい。
１＜Ｄｂ２３／ｆ＜５    （２−１）
１．２＜Ｄｂ２３／ｆ＜４    （２−２）
１．５＜Ｄｂ２３／ｆ＜３    （２−３）
【００３７】
条件式（３）の下限以下とならないようにすることによって、第５レンズＬ５の負の屈折力を強くすることが容易となり、色収差の補正が容易となる。条件式（３）の上限以上とならないようにすることによって、第４レンズＬ４及び第６レンズＬ６の正の屈折力を強くすることが容易となり、球面収差の補正が容易となる。条件式（３）を満足することによって球面収差及び色収差の補正が容易となる。
【００３８】
条件式（３）のｆ４５６／ｆは、４より大きいことがより好ましく、４．５より大きいことがさらに好ましく、５より大きいことがさらにより好ましい。また、ｆ４５６／ｆは、２５より小さいことがより好ましく、２０より小さいことがさらに好ましく、１５より小さいことがさらにより好ましく、１２より小さいことが一層好ましい。上記より、例えば下記条件式（３−１）〜（３−３）の少なくとも１つを満足することがより好ましい。
４＜ｆ４５６／ｆ＜２５    （３−１）
４．５＜ｆ４５６／ｆ＜１５    （３−２）
５＜ｆ４５６／ｆ＜１２    （３−３）
【００３９】
条件式（４）の下限以下とならないようにすることによって、第１レンズＬ１の屈折力を強くすることが容易となり、広角化が容易となる。条件式（４）の上限以上とならないようにすることによって、第１レンズＬ１の屈折力が強くなりすぎるのを抑えることが容易となり、歪曲収差の補正が容易となる。
【００４０】
条件式（４）のｆ１／ｆは、−６．５より大きいことがより好ましく、−５．５より大きいことがさらに好ましく、−４より大きいことがさらにより好ましい。また、ｆ１／ｆは、−１より小さいことがより好ましく、−２より小さいことがさらに好ましく、−２．５より小さいことがさらにより好ましい。上記より、例えば下記条件式（４−１）〜（４−３）の少なくとも１つを満足することがより好ましい。
−６．５＜ｆ１／ｆ＜−１    （４−１）
−５．５＜ｆ１／ｆ＜−２    （４−２）
−４＜ｆ１／ｆ＜−２．５    （４−３）
【００４１】
条件式（５）の下限以下とならないようにすることによって、第１レンズＬ１及び第２レンズＬ２の屈折力を強くすることが容易となり、広角化が容易となる。条件式（５）の上限以上とならないようにすることによって、第１レンズＬ１及び第２レンズＬ２の屈折力が強くなりすぎるのを抑えることが容易となり、歪曲収差の補正が容易となる。
【００４２】
条件式（５）のｆ１２／ｆは、−６より大きいことがより好ましく、−５より大きいことがさらに好ましく、−４より大きいことがさらにより好ましく、−３より大きいことが一層好ましい。また、ｆ１２／ｆは、−０．８より小さいことがより好ましく、−１より小さいことがさらに好ましく、−１．５より小さいことがさらにより好ましい。上記より、例えば下記条件式（５−１）〜（５−３）の少なくとも１つを満足することがより好ましい。
−５＜ｆ１２／ｆ＜−０．８    （５−１）
−４＜ｆ１２／ｆ＜−１    （５−２）
−３＜ｆ１２／ｆ＜−１．５    （５−３）
【００４３】
条件式（６）の上限以上とならないようにすることによって、第４レンズＬ４の屈折力を強くすることが容易となり、球面収差の補正が容易となる。
【００４４】
条件式（６）のｆ４５／ｆは、−１より小さいことがより好ましく、−２より小さいことがさらに好ましく、−３より小さいことがさらにより好ましい。また、ｆ４５／ｆは、−２０より大きいことが好ましく、このようにした場合は、第５レンズＬ５の屈折力を強くすることが容易となり、軸上色収差の補正が容易となる。ｆ４５／ｆは、−１８より大きいことがより好ましく、−１５より大きいことがさらに好ましく、−１１より大きいことがさらにより好ましい。上記より、例えば下記条件式（６−１）〜（６−４）の少なくとも１つを満足することがより好ましい。
−２０＜ｆ４５／ｆ＜−０．５    （６−１）
−１８＜ｆ４５／ｆ＜−１    （６−２）
−１５＜ｆ４５／ｆ＜−２    （６−３）
−１１＜ｆ４５／ｆ＜−３    （６−４）
【００４５】
条件式（７）の下限以下とならないようにすることによって、第３レンズＬ３の屈折力を強くすることが容易となり、球面収差及び非点収差の補正が容易となる。条件式（７）の上限以上とならないようにすることによって、第２レンズＬ２の屈折力を強くすることが容易となり、広角化が容易となると共にバックフォーカスの確保が容易となる。
【００４６】
条件式（７）のｆ２３／ｆは、３より大きいことがより好ましく、４より大きいことがさらに好ましく、５より大きいことがさらにより好ましい。また、ｆ２３／ｆは、２５より小さいことがより好ましく、２２より小さいことがさらに好ましく、２０より小さいことがさらにより好ましい。上記より、例えば下記条件式（７−１）〜（７−３）の少なくとも１つを満足することがより好ましい。
３＜ｆ２３／ｆ＜２５    （７−１）
４＜ｆ２３／ｆ＜２２    （７−２）
５＜ｆ２３／ｆ＜２０    （７−３）
【００４７】
条件式（８）の下限以下とならないようにすることによって、第６レンズＬ６の屈折力が強くなりすぎるのを抑えることが容易となり、バックフォーカスの確保が容易となる。
【００４８】
条件式（８）のｆ６／ｆは、０．８より大きいことがより好ましく、１より大きいことがさらに好ましく、１．５より大きいことがさらにより好ましい。また、ｆ６／ｆは１０より小さいことが好ましく、このようにした場合は、第６レンズＬ６の屈折力を強くすることが容易となり、球面収差の補正が容易となる。ｆ６／ｆは、８より小さいことがより好ましく、５より小さいことがさらに好ましく、３より小さいことがさらにより好ましく、２より小さいことが一層好ましい。上記より、例えば下記条件式（８−１）〜（８−４）の少なくとも１つを満足することがより好ましい。
０．５＜ｆ６／ｆ＜１０    （８−１）
０．８＜ｆ６／ｆ＜５    （８−２）
１＜ｆ６／ｆ＜３    （８−３）
１．５＜ｆ６／ｆ＜２    （８−４）
【００４９】
条件式（９）の下限以下とならないようにすることによって、第７レンズＬ７の屈折力が強くなりすぎるのを抑えることが容易となり、バックフォーカスの確保が容易となる。
【００５０】
条件式（９）のｆ７／ｆは、０．８より大きいことがより好ましく、１より大きいことがさらに好ましく、１．５より大きいことがさらにより好ましい。また、ｆ７／ｆは１０より小さいことが好ましく、このようにした場合は、第７レンズＬ７の屈折力を強くすることが容易となり、球面収差の補正が容易となる。ｆ７／ｆは、８より小さいことがより好ましく、５より小さいことがさらに好ましく、３より小さいことがさらにより好ましく、２．５より小さいことが一層好ましい。上記より、例えば下記条件式（９−１）〜（９−４）の少なくとも１つを満足することがより好ましい。
０．５＜ｆ７／ｆ＜１０    （９−１）
０．８＜ｆ７／ｆ＜５    （９−２）
１＜ｆ７／ｆ＜３    （９−３）
１．５＜ｆ７／ｆ＜２．５    （９−４）
【００５１】
条件式（１０）のＴＬはレンズ系の全長である。条件式（１０）の下限以下とならないようにすることによって、全長が短すぎてレンズの枚数、及び形状に制約ができてしまうのを防ぐことが容易となり、良好な解像性能を確保することが容易となる。あるいは、条件式（１０）の下限以下とならないようにすることによって、全長に対して焦点距離を短くすることが容易となり、広角化が容易となる。条件式（１０）の上限以上とならないようにすることによって、全長が長くなりすぎるのを抑えることが容易となる。
【００５２】
条件式（１０）のＴＬ／ｆは、５より大きいことがより好ましく、６より大きいことがさらに好ましく、７より大きいことがさらにより好ましく、８より大きいことが一層好ましい。また、ＴＬ／ｆは、１８より小さいことがより好ましく、１５より小さいことがさらに好ましく、１２より小さいことがさらにより好ましい。上記より、例えば下記条件式（１０−１）〜（１０−３）の少なくとも１つを満足することがより好ましい。
５＜ＴＬ／ｆ＜１８    （１０−１）
６＜ＴＬ／ｆ＜１５    （１０−２）
８＜ＴＬ／ｆ＜１２    （１０−３）
【００５３】
条件式（１１）の下限以下とならないようにすることによって、バックフォーカスを十分に確保することが容易となる。条件式（１１）の上限以上とならないようにすることによって、バックフォーカスが長くなりすぎて、レンズ系が大型化するのを抑えることが容易となる。
【００５４】
条件式（１１）のＢｆ／ｆは、０．６より大きいことがより好ましく、０．７より大きいことがさらに好ましく、０．８より大きいことがさらにより好ましく、０．９より大きいことが一層好ましい。また、Ｂｆ／ｆは、４より小さいことがより好ましく、３より小さいことがさらに好ましく、２より小さいことがさらにより好ましい。上記より、例えば下記条件式（１１−１）〜（１１−３）の少なくとも１つを満足することがより好ましい。
０．７＜Ｂｆ／ｆ＜４    （１１−１）
０．８＜Ｂｆ／ｆ＜３    （１１−２）
０．９＜Ｂｆ／ｆ＜２    （１１−３）
【００５５】
条件式（１２）の下限以下とならないようにすることによって、バックフォーカスが長くなりすぎて、レンズ系が大型化するのを抑えることが容易となる。条件式（１２）の上限以上とならないようにすることによって、有効径の大径化を抑えることが容易となり、レンズ径を小型化することが容易となる。なお、「面の有効直径」とは、結像に寄与する全光線とレンズ面との交わる点を考えたとき、径方向における最も外側の点（最も光軸から離れた点）からなる円の直径を意味する。有効直径は、例えばレンズ系が撮像素子と組み合わせて使用される場合は、撮像素子の撮像面のサイズに基づき決めることができる。撮像面が矩形であり、その矩形の２つの対角線の交点をレンズ系の光軸を通る場合は、例えば、この対角線の１／２を最大像高として考えて有効直径を決めてもよい。また、開口部を有する遮光部材がレンズ系に配置されている場合は、その遮光部材を考慮して有効直径を決めてもよい。
【００５６】
条件式（１２）のＥＤ８ｒ／Ｂｆは、０．７より大きいことがより好ましく、０．８より大きいことがさらに好ましく、０．９より大きいことがさらにより好ましく、１より大きいことが一層好ましく、１．１より大きいことがより一層好ましく、１．２より大きいことがさらに一層好ましい。また、ＥＤ８ｒ／Ｂｆは、２より小さいことがより好ましく、１．８より小さいことがさらに好ましく、１．７より小さいことがさらにより好ましく、１．６より小さいことが一層好ましい。上記より、例えば下記条件式（１２−１）〜（１２−３）の少なくとも１つを満足することがより好ましい。
０．８＜ＥＤ８ｒ／Ｂｆ＜２    （１２−１）
１＜ＥＤ８ｒ／Ｂｆ＜１．８    （１２−２）
１．１＜ＥＤ８ｒ／Ｂｆ＜１．７    （１２−３）
【００５７】
条件式（１３）の下限以上とすることによって、歪曲収差の補正が容易となる。条件式（１３）の上限以上とならないようにすることによって、広角化、及びバックフォーカスの確保が容易となる。
【００５８】
条件式（１３）の（Ｒ１ｆ＋Ｒ１ｒ）／（Ｒ１ｆ−Ｒ１ｒ）は、１より大きいことがより好ましく、１．２より大きいことがさらに好ましく、１．４より大きいことがさらにより好ましい。また、（Ｒ１ｆ＋Ｒ１ｒ）／（Ｒ１ｆ−Ｒ１ｒ）は、５より小さいことがより好ましく、４より小さいことがさらに好ましく、３より小さいことがさらにより好ましい。上記より、例えば下記条件式（１３−１）〜（１３−３）の少なくとも１つを満足することがより好ましい。
１≦（Ｒ１ｆ＋Ｒ１ｒ）／（Ｒ１ｆ−Ｒ１ｒ）＜５    （１３−１）
１．３＜（Ｒ１ｆ＋Ｒ１ｒ）／（Ｒ１ｆ−Ｒ１ｒ）＜４    （１３−２）
１．５＜（Ｒ１ｆ＋Ｒ１ｒ）／（Ｒ１ｆ−Ｒ１ｒ）＜３    （１３−３）
【００５９】
条件式（１４）の下限以上とすることによって、歪曲収差の補正が容易となる。条件式（１４）の上限以上とならないようにすることによって、広角化、及びバックフォーカスの確保が容易となる。
【００６０】
条件式（１４）の（Ｒ２ｆ＋Ｒ２ｒ）／（Ｒ２ｆ−Ｒ２ｒ）は、０．５より大きいことがより好ましく、１より大きいことがさらに好ましく、１．０５より大きいことがさらにより好ましい。また、（Ｒ２ｆ＋Ｒ２ｒ）／（Ｒ２ｆ−Ｒ２ｒ）は、４より小さいことがより好ましく、３より小さいことがさらに好ましく、２．５より小さいことがさらにより好ましい。上記より、例えば下記条件式（１４−１）〜（１４−３）の少なくとも１つを満足することがより好ましい。
０．５＜（Ｒ２ｆ＋Ｒ２ｒ）／（Ｒ２ｆ−Ｒ２ｒ）＜４    （１４−１）
１＜（Ｒ２ｆ＋Ｒ２ｒ）／（Ｒ２ｆ−Ｒ２ｒ）＜３    （１４−２）
１．０５＜（Ｒ２ｆ＋Ｒ２ｒ）／（Ｒ２ｆ−Ｒ２ｒ）＜２．５    （１４−３）
【００６１】
条件式（１５）の下限以上とすることによって、球面収差及び非点収差の補正が容易となる。条件式（１５）の上限以上とならないようにすることによって、球面収差の補正が容易となる。
【００６２】
条件式（１５）の（Ｒ３ｆ＋Ｒ３ｒ）／（Ｒ３ｆ−Ｒ３ｒ）は、０．２より大きいことがより好ましく、０．３より大きいことがさらに好ましく、０．４より大きいことがさらにより好ましい。また、（Ｒ３ｆ＋Ｒ３ｒ）／（Ｒ３ｆ−Ｒ３ｒ）は、４より小さいことがより好ましく、３より小さいことがさらに好ましく、２より小さいことがさらにより好ましい。上記より、例えば下記条件式（１５−１）〜（１５−３）の少なくとも１つを満足することがより好ましい。
０．２＜（Ｒ３ｆ＋Ｒ３ｒ）／（Ｒ３ｆ−Ｒ３ｒ）＜４    （１５−１）
０．３＜（Ｒ３ｆ＋Ｒ３ｒ）／（Ｒ３ｆ−Ｒ３ｒ）＜３    （１５−２）
０．４＜（Ｒ３ｆ＋Ｒ３ｒ）／（Ｒ３ｆ−Ｒ３ｒ）＜２    （１５−３）
【００６３】
条件式（１６）の上限以下とすることによって、第５レンズＬ５において、物体側の面の曲率半径の絶対値を像側の面の曲率半径の絶対値より小さくすることが容易となり、コマ収差の補正、非点収差の補正、及びバックフォーカスを長くとることが容易となる。
【００６４】
条件式（１６）の（Ｒ５ｆ＋Ｒ５ｒ）／（Ｒ５ｆ−Ｒ５ｒ）は、−０．１より小さいことがより好ましく、−０．２より小さいことがさらに好ましく、−０．３より小さいことがさらにより好ましい。また、（Ｒ５ｆ＋Ｒ５ｒ）／（Ｒ５ｆ−Ｒ５ｒ）は、−０．９より大きいことが好ましい。このようにした場合は、球面収差の補正が容易となるか、軸上色収差の補正が容易となる。（Ｒ５ｆ＋Ｒ５ｒ）／（Ｒ５ｆ−Ｒ５ｒ）は、−０．８より大きいことがより好ましく、−０．７より大きいことがさらに好ましい。上記より、例えば下記条件式（１６−１）〜（１６−３）の少なくとも１つを満足することがより好ましい。
−０．９＜（Ｒ５ｆ＋Ｒ５ｒ）／（Ｒ５ｆ−Ｒ５ｒ）＜−０．１    （１６−１）
−０．８＜（Ｒ５ｆ＋Ｒ５ｒ）／（Ｒ５ｆ−Ｒ５ｒ）＜−０．２    （１６−２）
−０．７＜（Ｒ５ｆ＋Ｒ５ｒ）／（Ｒ５ｆ−Ｒ５ｒ）＜−０．３    （１６−３）
【００６５】
条件式（１７）の下限以下とならないようにすることによって、軸上色収差の補正が容易となる。νｄ１は、３５より大きいことがより好ましく、３８より大きいことがさらに好ましく、４０より大きいことがさらにより好ましい。また、νｄ１は８５より小さいことが好ましく、このようにした場合は、コストを抑えることが容易となると共に、屈折率の高い材料を選ぶことが容易となるため、歪曲収差の補正、及び広角化に有利となる。そして、νｄ１が８５より小さくなるように構成した場合は、耐薬品性の高い材料を選ぶことが容易となり、信頼性の高いレンズを作製することが容易となる。第１レンズＬ１は、最も物体側のレンズであり、外部に露出する可能性があるため、耐薬品性の高い材料を選択可能とすることは有効である。νｄ１は、８０より小さいことがより好ましく、６０より小さいことがさらに好ましく、５０より小さいことがさらにより好ましい。上記より、例えば下記条件式（１７−１）〜（１７−３）の少なくとも１つを満足することがより好ましい。
３０＜νｄ１＜８５    （１７−１）
３５＜νｄ１＜６０    （１７−２）
３８＜νｄ１＜５０    （１７−３）
【００６６】
条件式（１８）の下限以下とならないようにすることによって、軸上色収差の補正が容易となる。νｄ２は、３５より大きいことがより好ましく、３８より大きいことがさらに好ましく、４０より大きいことがさらにより好ましい。また、νｄ２は８５より小さいことが好ましく、このようにした場合は、コストを抑えることが容易となると共に、屈折率の高い材料を選ぶことが容易となるため、歪曲収差の補正、及び広角化に有利となる。νｄ２は、８０より小さいことがより好ましく、６０より小さいことがさらに好ましく、５０より小さいことがさらにより好ましい。上記より、例えば下記条件式（１８−１）〜（１８−３）の少なくとも１つを満足することがより好ましい。
３０＜νｄ２＜８５    （１８−１）
３５＜νｄ２＜６０    （１８−２）
３８＜νｄ２＜５０    （１８−３）
【００６７】
条件式（１９）の下限以下とならないようにすることによって、軸上色収差の補正が容易となる。νｄ３は、４０より大きいことがより好ましく、４５より大きいことがさらに好ましく、５０より大きいことがさらにより好ましい。また、νｄ３は８５より小さいことが好ましく、このようにした場合は、倍率色収差を抑えることが容易となる。νｄ３は、８０より小さいことがより好ましく、７０より小さいことがさらに好ましく、６０より小さいことがさらにより好ましい。上記より、例えば下記条件式（１９−１）〜（１９−３）の少なくとも１つを満足することがより好ましい。
３０＜νｄ３＜８５    （１９−１）
４０＜νｄ３＜７０    （１９−２）
４５＜νｄ３＜６０    （１９−３）
【００６８】
条件式（２０）の下限以下とならないようにすることによって、軸上色収差の補正が容易となる。νｄ４は、４０より大きいことがより好ましく、４５より大きいことがさらに好ましく、５０より大きいことがさらにより好ましい。また、νｄ４は８５より小さいことが好ましく、このようにした場合は、倍率色収差を抑えることが容易となる。νｄ４は、８０より小さいことがより好ましく、７０より小さいことがさらに好ましく、６０より小さいことがさらにより好ましく、５５より小さいことが一層好ましい。上記より、例えば下記条件式（２０−１）〜（２０−３）の少なくとも１つを満足することがより好ましい。
３０＜νｄ４＜８５    （２０−１）
４０＜νｄ４＜７０    （２０−２）
４５＜νｄ４＜６０    （２０−３）
【００６９】
条件式（２１）の下限以下とならないようにすることによって、軸上色収差及び倍率色収差の補正が容易となる。νｄ６は、２５より大きいことがより好ましく、３０より大きいことがさらに好ましく、３３より大きいことがさらにより好ましい。また、νｄ６は８５より小さいことが好ましく、このようにした場合は、材料のコストを抑えることが容易となる。νｄ６は、８０より小さいことがより好ましく、７０より小さいことがさらに好ましく、６０より小さいことがさらにより好ましく、５０より小さいことが一層好ましく、４０より小さいことがより一層好ましい。
い。上記より、例えば下記条件式（２１−１）〜（２１−３）の少なくとも１つを満足することがより好ましい。
２０＜νｄ６＜８５    （２１−１）
２５＜νｄ６＜６０    （２１−２）
３０＜νｄ６＜５０    （２１−３）
【００７０】
条件式（２２）の下限以下とならないようにすることによって、軸上色収差及び倍率色収差の補正が容易となる。νｄ７は、３５より大きいことがより好ましく、３８より大きいことがさらに好ましく、４０より大きいことがさらにより好ましい。また、νｄ７は８５より小さいことが好ましく、このようにした場合は、材料のコストを抑えることが容易となる。νｄ７は、８０より小さいことがより好ましく、７０より小さいことがさらに好ましく、６０より小さいことがさらにより好ましく、５０より小さいことが一層好ましい。上記より、例えば下記条件式（２２−１）〜（２２−３）の少なくとも１つを満足することがより好ましい。
３０＜νｄ７＜８５    （２２−１）
３５＜νｄ７＜６０    （２２−２）
３８＜νｄ７＜５０    （２２−３）
【００７１】
条件式（２３）の上限以上とならないようにすることによって、軸上色収差及び倍率色収差の補正が容易となる。νｄ８は、２３より小さいことがより好ましく、２１より小さいことがさらに好ましく、２０より小さいことがさらにより好ましく、１９より小さいことが一層好ましく、１８より小さいことがより一層好ましい。また、νｄ８は、１６より大きいことが好ましく、このようにした場合は、材料のコストを抑えることが容易となる。νｄ８は、１７より大きいことがより好ましく、１７．２より大きいことがさらに好ましい。上記より、例えば下記条件式（２３−１）〜（２３−３）の少なくとも１つを満足することがより好ましい。
１６＜νｄ８＜２３    （２３−１）
１６＜νｄ８＜２１    （２３−２）
１７．２＜νｄ８＜１９    （２３−３）
【００７２】
なお、条件式に関する好ましい構成としては、上記で式として記載された範囲を満足するものに限定されず、各条件式について上記で述べた好ましい下限と好ましい上限とを任意に組み合わせてなる範囲を満足するものも含む。
【００７３】
ここで、上述した条件式を考慮した３つの好ましい構成例と、その効果について説明する。第１の構成例は、上述した基本構成を有し、条件式（１）を満足する撮像レンズである。第１の構成例によれば、諸収差、特に軸上色収差を良好に補正しながら、Ｆ値の小さなレンズ系を構成することに有利となる。
【００７４】
第２の構成例は、上述した基本構成を有し、条件式（２）を満足する撮像レンズである。第２の構成例によれば、諸収差、特に歪曲収差及び球面収差を良好に補正しながら、レンズ系の小型化を図ることに有利となる。
【００７５】
第３の構成例は、上述した基本構成を有し、条件式（３）を満足する撮像レンズである。第３の構成例によれば、諸収差、特に色収差及び球面収差を良好に補正することに有利となる。
【００７６】
なお、図１にはレンズ系と像面Ｓｉｍとの間に光学部材ＰＰを配置した例を示したが、各種フィルタをレンズ系と像面Ｓｉｍとの間に配置する代わりに、各レンズの間に各種フィルタを配置してもよく、あるいは、いずれかのレンズのレンズ面に各種フィルタと同様の作用を有するコートを施してもよい。
【００７７】
また、撮像レンズ１は、物体距離の変化に応じてフォーカシングを行う機能を備えていてもよい。この機能を備える場合は、レンズ系全体を移動させることによってフォーカシングを行う方式としてもよく、あるいは、レンズ系のうちの一部のみを移動させることによってフォーカシングを行う方式としてもよい。
【００７８】
また、撮像レンズ１のＦ値は、２．０以下であること好ましい。Ｆ値を２．０以下とすることによって、暗い場所でも良好な撮影が可能となる。Ｆ値は、１．８以下であることがより好ましく、１．５以下であることがさらに好ましく、１．２以下であることがさらにより好ましい。
【００７９】
また、周辺光量比に関する実用上の問題が発生しないのであれば、周辺光線の一部を遮光する絞り等の遮光部材を各レンズの間に配置してもよい。このような部材により、結像領域周辺部の画質を向上させることができる。図１では、第３レンズＬ３の物体側の面と第７レンズＬ７の像側の面それぞれの周辺部に接するように遮光部材１１と遮光部材１２とを設けた例を示す。遮光部材１１と遮光部材１２とは、光軸上に中心がある円形の開口部を有する。なお、遮光部材を設ける箇所及び遮光部材の数は図１に示す例に限定されない。
【００８０】
さらに、各レンズ間の有効径外を通過する光束は、迷光となって像面に達し、ゴーストとなるおそれがあるため、必要に応じて、この迷光を遮光する遮光部材を設けてもよい。この迷光用の遮光部材としては、例えば、レンズの有効径外の部分に施された不透明な塗料、又は不透明な板材であってもよく、必要に応じてどのレンズの間に配置してもよい。
【００８１】
上述した好ましい構成及び可能な構成は、任意の組合せが可能であり、要求される仕様に応じて適宜選択的に採用されることが好ましい。好ましい構成を適宜選択することによって、より良好な光学性能及び／又はより高い仕様に対応可能な光学系を実現することができる。本開示の技術によれば、Ｆ値が小さく、諸収差が良好に補正されて、高い光学性能を有する撮像レンズを実現することが可能である。なお、ここでいう「Ｆ値が小さく」とは、Ｆ値が２．０以下であることを意味する。
【００８２】
次に、本発明の撮像レンズの数値実施例について説明する。
［実施例１］
実施例１の撮像レンズの構成と光路の断面図は図１に示しており、その図示方法と構成は上述したとおりであるので、ここでは重複説明を一部省略する。
【００８３】
実施例１の撮像レンズについて、基本レンズデータを表１に、条件式に関する値及び諸元を表２に、非球面係数を表３に示す。表１において、Ｓｎの欄には最も物体側の面を第１面とし像側に向かうに従い１つずつ番号を増加させた場合の面番号を示し、Ｒの欄には各面の曲率半径を示し、Ｄの欄には各面とその像側に隣接する面との光軸上の面間隔を示す。また、Ｎｄの欄には各構成要素のｄ線に対する屈折率を示し、νｄの欄には各構成要素のｄ線基準のアッベ数を示す。また、周辺光線の一部を遮光する遮光部材が配置されている面の行には、遮光部材と記した欄に遮光部材の開口部の直径にφを付けて示す。
【００８４】
表１では、物体側に凸面を向けた形状の面の曲率半径の符号を正、像側に凸面を向けた形状の面の曲率半径の符号を負としている。表１には開口絞りＳｔ及び光学部材ＰＰも合わせて示している。表１では、開口絞りＳｔに相当する面の面番号の欄には面番号と（Ｓｔ）という語句を記載している。表１の最下欄の面は像面Ｓｉｍである。
【００８５】
表２において、ＦＮｏ．はＦ値であり、２ωは最大全画角である。表２には、上述した条件式で用いた記号の対応値も示す。
【００８６】
表１では、非球面の面番号には＊印を付しており、非球面の曲率半径の欄には近軸の曲率半径の数値を記載している。表３において、Ｓｎの欄には非球面の面番号を示し、ＫＡ及びＡｍ（ｍ＝３、４、５、６）の欄には各非球面についての非球面係数の数値を示す。表３の非球面係数の数値の「Ｅ±ｎ」（ｎ：整数）は「×１０±ｎ」を意味する。ＫＡ及びＡｍは下式で表される非球面式における非球面係数である。
Ｚｄ＝Ｃ×ｈ２／｛１＋（１−ＫＡ×Ｃ２×ｈ２）１/２｝＋ΣＡｍ×ｈｍ
ただし、
Ｚｄ：非球面深さ（高さｈの非球面上の点から、非球面頂点が接する光軸に垂直な平面に
下ろした垂線の長さ）
ｈ：高さ（光軸からレンズ面までの距離）
Ｃ：近軸曲率半径の逆数
ＫＡ、Ａｍ：非球面係数
であり、非球面式のΣはｍに関する総和を意味する。
【００８７】
各表のデータにおいて、角度の単位としては度を用い、長さの単位としてはｍｍ（ミリメートル）を用いているが、光学系は比例拡大又は比例縮小しても使用可能なため他の適当な単位を用いることもできる。また、以下に示す各表では所定の桁でまるめた数値を記載している。
【００８８】
【表１】
2019211637.tif 000003
【００８９】
【表２】
2019211637.tif 000004
【００９０】
【表３】
2019211637.tif 000005
【００９１】
図１０に、物体距離が無限遠の場合における実施例１の撮像レンズの各収差図を示す。図１０では左から順に、球面収差、非点収差、歪曲収差、及び倍率色収差を示す。球面収差図では、ｄ線、Ｆ線、及びＣ線における収差をそれぞれ実線、一点鎖線、及び二点鎖線で示す。なお、球面収差図には、正弦条件違反量を破線で示す。非点収差図では、サジタル方向のｄ線における収差を実線で示し、タンジェンシャル方向のｄ線における収差を短破線で示す。歪曲収差図ではｄ線における収差を実線で示す。倍率色収差図では、Ｆ線、及びＣ線における収差をそれぞれ一点鎖線、及び二点鎖線で示す。球面収差図のＦＮｏ．はＦ値を意味し、その他の収差図のωは半画角を意味する。
【００９２】
上記の実施例１に関する各データの記号、意味、及び記載方法は、特に断りが無い限り以下の実施例においても同様であるので、以下では重複説明を省略する。
【００９３】
［実施例２］
実施例２の撮像レンズの構成と光路の断面図を図２に示す。図２では、最大画角の光束４及び遮光部材の図示を省略している点が図１と異なるが、その他の図示方法は基本的に図１と同様である。以下の実施例３〜９に係る断面図も図２と同様の図示方法を採っている。
【００９４】
実施例２の撮像レンズは、物体側から像側へ向かって順に、第１レンズＬ１〜第８レンズＬ８の８枚のレンズのみを屈折力を有するレンズとして備え、上述した基本構成を有する。実施例２の撮像レンズについて、基本レンズデータを表４に、条件式に関する値及び諸元を表５に、非球面係数を表６に、各収差図を図１１に示す。
【００９５】
【表４】
2019211637.tif 000006
【００９６】
【表５】
2019211637.tif 000007
【００９７】
【表６】
2019211637.tif 000008
【００９８】
［実施例３］
実施例３の撮像レンズの構成と光路の断面図を図３に示す。実施例３の撮像レンズは、物体側から像側へ向かって順に、第１レンズＬ１〜第８レンズＬ８の８枚のレンズのみを屈折力を有するレンズとして備え、上述した基本構成を有する。実施例３の撮像レンズについて、基本レンズデータを表７に、条件式に関する値及び諸元を表８に、非球面係数を表９に、各収差図を図１２に示す。
【００９９】
【表７】
2019211637.tif 000009
【０１００】
【表８】
2019211637.tif 000010
【０１０１】
【表９】
2019211637.tif 000011
【０１０２】
［実施例４］
実施例４の撮像レンズの構成と光路の断面図を図４に示す。実施例４の撮像レンズは、物体側から像側へ向かって順に、第１レンズＬ１〜第８レンズＬ８の８枚のレンズのみを屈折力を有するレンズとして備え、上述した基本構成を有する。実施例４の撮像レンズについて、基本レンズデータを表１０に、条件式に関する値及び諸元を表１１に、非球面係数を表１２に、各収差図を図１３に示す。
【０１０３】
【表１０】
2019211637.tif 000012
【０１０４】
【表１１】
2019211637.tif 000013
【０１０５】
【表１２】
2019211637.tif 000014
【０１０６】
［実施例５］
実施例５の撮像レンズの構成と光路の断面図を図５に示す。実施例５の撮像レンズは、物体側から像側へ向かって順に、第１レンズＬ１〜第８レンズＬ８の８枚のレンズのみを屈折力を有するレンズとして備え、上述した基本構成を有する。実施例５の撮像レンズについて、基本レンズデータを表１３に、条件式に関する値及び諸元を表１４に、非球面係数を表１５に、各収差図を図１４に示す。
【０１０７】
【表１３】
2019211637.tif 000015
【０１０８】
【表１４】
2019211637.tif 000016
【０１０９】
【表１５】
2019211637.tif 000017
【０１１０】
［実施例６］
実施例６の撮像レンズの構成と光路の断面図を図６に示す。実施例６の撮像レンズは、物体側から像側へ向かって順に、第１レンズＬ１〜第８レンズＬ８の８枚のレンズのみを屈折力を有するレンズとして備え、上述した基本構成を有する。実施例６の撮像レンズについて、基本レンズデータを表１６に、条件式に関する値及び諸元を表１７に、非球面係数を表１８に、各収差図を図１５に示す。
【０１１１】
【表１６】
2019211637.tif 000018
【０１１２】
【表１７】
2019211637.tif 000019
【０１１３】
【表１８】
2019211637.tif 000020
【０１１４】
［実施例７］
実施例７の撮像レンズの構成と光路の断面図を図７に示す。実施例７の撮像レンズは、物体側から像側へ向かって順に、第１レンズＬ１〜第８レンズＬ８の８枚のレンズのみを屈折力を有するレンズとして備え、上述した基本構成を有する。実施例７の撮像レンズについて、基本レンズデータを表１９に、条件式に関する値及び諸元を表２０に、非球面係数を表２１に、各収差図を図１６に示す。
【０１１５】
【表１９】
2019211637.tif 000021
【０１１６】
【表２０】
2019211637.tif 000022
【０１１７】
【表２１】
2019211637.tif 000023
【０１１８】
［実施例８］
実施例８の撮像レンズの構成と光路の断面図を図８に示す。実施例８の撮像レンズは、物体側から像側へ向かって順に、第１レンズＬ１〜第８レンズＬ８の８枚のレンズのみを屈折力を有するレンズとして備え、上述した基本構成を有する。実施例８の撮像レンズについて、基本レンズデータを表２２に、条件式に関する値及び諸元を表２３に、非球面係数を表２４に、各収差図を図１７に示す。
【０１１９】
【表２２】
2019211637.tif 000024
【０１２０】
【表２３】
2019211637.tif 000025
【０１２１】
【表２４】
2019211637.tif 000026
【０１２２】
［実施例９］
実施例９の撮像レンズの構成と光路の断面図を図９に示す。実施例９の撮像レンズは、物体側から像側へ向かって順に、第１レンズＬ１〜第８レンズＬ８の８枚のレンズのみを屈折力を有するレンズとして備え、上述した基本構成を有する。実施例９の撮像レンズについて、基本レンズデータを表２５に、条件式に関する値及び諸元を表２６に、非球面係数を表２７に、各収差図を図１８に示す。
【０１２３】
【表２５】
2019211637.tif 000027
【０１２４】
【表２６】
2019211637.tif 000028
【０１２５】
【表２７】
2019211637.tif 000029
【０１２６】
実施例１〜９の撮像レンズについて、条件式（１）〜（６）の対応値を表２８に示し、条件式（７）〜（１２）の対応値を表２９に示し、条件式（１３）〜（１６）の対応値を表３０に示す。実施例１〜９はｄ線を基準波長としている。表２８、表２９、及び表３０にはｄ線基準での値を示す。
【０１２７】
【表２８】
2019211637.tif 000030
【０１２８】
【表２９】
2019211637.tif 000031
【０１２９】
【表３０】
2019211637.tif 000032
【０１３０】
以上のデータからわかるように、実施例１〜９の撮像レンズは、Ｆ値が１．１２以下であり小さなＦ値を有し、諸収差が良好に補正されて高い光学性能を有している。
【０１３１】
次に、本発明の実施形態に係る撮像装置について説明する。図１９に、本発明の実施形態の撮像装置の一例として、本発明の実施形態に係る撮像レンズ１を用いた撮像装置１０の概略構成図を示す。撮像装置１０としては、例えば、ＦＡ（Ｆａｃｔｏｒｙ  Ａｕｔｏｍａｔｉｏｎ）用カメラ、ＭＶ（Ｍａｃｈｉｎｅ  Ｖｉｓｉｏｎ）用カメラ、監視カメラ、車載カメラ、及び、デジタルカメラを挙げることができる。
【０１３２】
撮像装置１０は、撮像レンズ１と、フィルタ５と、撮像素子６と、撮像素子６からの出力信号を演算処理する信号処理部７とを備える。なお、図１９では、撮像レンズ１を概念的に図示している。撮像素子６は、撮像レンズ１により形成された被写体の像を撮像して電気信号に変換するものであり、例えばＣＣＤ（Ｃｈａｒｇｅ  Ｃｏｕｐｌｅｄ  Ｄｅｖｉｃｅ）又はＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等を用いることができる。撮像素子６は、その撮像面が撮像レンズ１の像面Ｓｉｍに一致するように配置される。
【０１３３】
以上、実施形態及び実施例を挙げて本発明を説明したが、本発明は上記実施形態及び実施例に限定されず、種々の変形が可能である。例えば、各レンズの曲率半径、面間隔、屈折率、アッベ数、及び非球面係数は、上記各数値実施例で示した値に限定されず、他の値をとり得る。
【符号の説明】
【０１３４】
１    撮像レンズ
２    軸上光束
３、４    最大画角の光束
５    フィルタ
６    撮像素子
７    信号処理部
１０    撮像装置
１１、１２    遮光部材
Ｌ１    第１レンズ
Ｌ２    第２レンズ
Ｌ３    第３レンズ
Ｌ４    第４レンズ
Ｌ５    第５レンズ
Ｌ６    第６レンズ
Ｌ７    第７レンズ
Ｌ８    第８レンズ
ＰＰ    光学部材
Ｓｉｍ    像面
Ｓｔ    開口絞り
Ｚ    光軸
【図１】
2019211637.tif 000033
【図２】
2019211637.tif 000034
【図３】
2019211637.tif 000035
【図４】
2019211637.tif 000036
【図５】
2019211637.tif 000037
【図６】
2019211637.tif 000038
【図７】
2019211637.tif 000039
【図８】
2019211637.tif 000040
【図９】
2019211637.tif 000041
【図１０】
2019211637.tif 000042
【図１１】
2019211637.tif 000043
【図１２】
2019211637.tif 000044
【図１３】
2019211637.tif 000045
【図１４】
2019211637.tif 000046
【図１５】
2019211637.tif 000047
【図１６】
2019211637.tif 000048
【図１７】
2019211637.tif 000049
【図１８】
2019211637.tif 000050
【図１９】
2019211637.tif 000051